(57)【要約】      （修正有）【課題】長時間着席していても、正しい姿勢を保ち、疲れにくくすることのできるクッションを提供する。【解決手段】椅子またはソファーに載置して使用され、矩形の主クッションシート部２２、この主クッションシート部の前縁に第１連結布部２４を介して連結された膝上部クッション部２６、主クッションシート部の後縁に連結された第１背もたれ部、およびこの第１背もたれ部の後縁に第２連結布部を介して連結された第２背もたれ部を備え、主クッションシート部、膝上部クッション部、第１背もたれ部および第２背もたれ部は、クッション材が充填されており、主クッションシート部には、その後方中央部に、座骨を収容するための半円形の凹み部である座骨フィット部が形成されており、第１背もたれ部の厚みが、主クッションシート部、膝上部クッション部および第２背もたれ部の厚みより薄くなっている。【選択図】図１
0003194682.tif 000002
【実用新案登録請求の範囲】
【請求項１】
椅子またはソファーに載置して使用されるクッションであって、矩形の主クッションシート部、この主クッションシート部の前縁に第１連結布部を介して連結された膝上部クッション部、前記主クッションシート部の後縁に連結された第１背もたれ部、およびこの第１背もたれ部の後縁に第２連結布部を介して連結された第２背もたれ部を備え、前記主クッションシート部、膝上部クッション部、第１背もたれ部および第２背もたれ部は、クッション材が充填されており、前記主クッションシート部には、その後方中央部に、座骨を収容するための半円形または６角形以上の多角形の半分の形状をした凹み部である座骨フィット部が形成されており、前記第１背もたれ部の厚みが、前記主クッションシート部、膝上部クッション部および第２背もたれ部の厚みより薄くなっていることを特徴とするクッション。
【請求項２】
前記座骨を収容するための座骨フィット部が空洞となっている請求項１のクッション。
【請求項３】
前記膝上部クッション部の前縁に連結され、椅子等の座席の前縁から垂れ下がる前部垂れ下がり部を更に備えている請求項１または２のクッション。
【請求項４】
前記第２背もたれ部の後縁に連結され、椅子等の背もたれの後方に垂れ下がる後部垂れ下がり部を更に備えている請求項１〜３のいずれかのクッション。
【請求項５】
前記第１背もたれ部の堅さが、前記主クッションシート部、膝上部クッション部および第２背もたれ部の堅さより柔らかくなっている請求項１〜４のいずれかのするクッション。
【考案の詳細な説明】
【技術分野】
【０００１】
本考案は、クッションに関し、特に、椅子やソファーに載置されて使用されるクッションに関するものである。
【背景技術】
【０００２】
椅子に長時間座っていると、臀部や背中が痛くなるので、体にかかる負担を軽減するために、座面等にクッションを組み込んだ椅子が多く用いられている。また、椅子の上に、好みに応じて、椅子とは別のクッションを敷いて座ることもある。例えば、特許文献１には、アンカー材と、その上に一体化されて位置する緩衝材とからなる着座姿勢保持用のクッションが記載されている。このクッションは、大腿部下に位置するアンカー材の厚みよりも、坐骨下に位置するアンカー材の厚みが薄く構成され、また、アンカー材の坐骨下に位置する部分に開口部が形成され、大腿部の下に位置する部分に大腿部を保持する１条もしくは２条の凹状溝が形成されている。
【０００３】
しかしながら、特許文献１に記載のクッションは、大腿部及び臀部を支持するのみであり、背中は考慮されていないので、上半身にかかる負担を軽減することができない。
【０００４】
そこで、特許文献２では、このような問題に鑑み、少なくとも背中の一部を支持し、体にかかる負担をより軽減することができるクッションを提案している。
【０００５】
この特許文献２のクッションは、大腿部の少なくとも一部から骨盤を経由し背中の少なくとも一部を支持する支持体を備え、支持体は、大腿部の少なくとも一部から背中の少なくとも一部まで対応するように連続して形成されており、支持体には、大腿部に対応し、かつ、背骨を間に挟むように伸長された２状の凹状溝が、大腿部の少なくとも一部から背中の少なくとも一部まで形成されたものである。
【０００６】
特許文献２のクッションによれば、支持体に、背骨を間に挟むように２条の凹状溝を形成するようにしたので、２条の凹状溝の間の凸条部により脊柱（背骨）及び脊柱起立筋を支持することができる。よって、脊柱及び脊柱起立筋を厚く保護することにより体圧を分散させることができ、体にかかる負担を軽減することができる可能性がある。
【先行技術文献】
【特許文献】
【０００７】
【特許文献１】特開２０１２−２９９９８号公報
【特許文献２】特開２０１４−１５８５７１号公報
【考案の概要】
【考案が解決しようとする課題】
【０００８】
特許文献２のクッションによれば、確かに上記した効果があるかも知れないが、大腿部の少なくとも一部から骨盤を経由し背中の少なくとも一部を支持する支持体が大腿部から背中にかけて連続しているので、長く座っていると、お尻の位置がだんだんと前の方になり、姿勢が悪くなり、疲れやすくなるという問題がある。
【０００９】
そこで、本考案は、長時間着席していても、正しい姿勢を保ち、疲れにくくすることのできるクッションを提供することを目的とする。
【課題を解決するための手段】
【００１０】
前記目的は、本考案の次の（１）〜（５）の構成のクッションにより達成される。
（１）
椅子またはソファーに載置して使用されるクッションであって、矩形の主クッションシート部、この主クッションシート部の前縁に第１連結布部を介して連結された膝上部クッション部、前記主クッションシート部の後縁に連結された第１背もたれ部、およびこの第１背もたれ部の後縁に第２連結布部を介して連結された第２背もたれ部を備え、前記主クッションシート部、膝上部クッション部、第１背もたれ部および第２背もたれ部は、クッション材が充填されており、前記主クッションシート部には、その後方中央部に、座骨を収容するための半円形または６角形以上の多角形の半分の形状をした凹み部である座骨フィット部が形成されており、前記第１背もたれ部の厚みが、前記主クッションシート部、膝上部クッション部および第２背もたれ部の厚みより薄くなっていることを特徴とするクッション。
（２）
前記座骨を収容するための座骨フィット部が空洞となっている前記（１）のクッション。
（３）
前記膝上部クッション部の前縁に連結され、椅子等の座席の前縁から垂れ下がる前部垂れ下がり部を更に備えている前記（１）または（２）のクッション。
（４）
前記第２背もたれ部の後縁に連結され、椅子等の背もたれの後方に垂れ下がる後部垂れ下がり部を更に備えている前記（１）〜（３）のいずれかのクッション。
（５）
前記第１背もたれ部の堅さが、前記主クッションシート部、膝上部クッション部および第２背もたれ部の堅さより柔らかくなっている前記（１）〜（４）のいずれかのクッション。
【考案の効果】
【００１１】
本発明のクッションにあっては、その主クッションシート部の後方中央部に、座骨を収容するための半円形等の凹み部である座骨フィット部が形成されているので、着席した状態での座骨、ひいてはお尻の前ズレを防止できるとともに、体圧が集中するのを防止し、長時間、着席していても正しい姿勢を維持できるという利点がある。
【００１２】
本発明のクッションでは、また、第１連結布部の存在により、この部分を折り畳み等することにより、この部分の長さを調節することができ、これにより膝上部クッション部の前後方向の位置を調節することができるので、着席する個人の心地よい膝上部位置に合わせて膝上部クッション部を位置づけることが出来、脚の血行を良好にすることが出来る。
【００１３】
前記座骨フィット部を設けたことに相まって、前記第１背もたれ部の厚みが、前記主クッションシート部、膝上部クッション部および第２背もたれ部の厚みより薄くしていると共に、前記膝上部クッション部存在により、良好な姿勢をより長時間維持できる。
【図面の簡単な説明】
【００１４】
【図１】本考案の実施形態によるクッションを椅子に設置した状態を示す斜視図である。
【図２】図１に示したクッションを展開した状態で示した平面図である。
【図３】図２等に示したクッションの側面図である。
【考案を実施するための形態】
【００１５】
以下、添付図面を参照しつつ、本考案の実施の形態によるクッション１０について説明する。本発明のクッションは、椅子またはソファーに載置して使用されるものであるが、以下の説明においては、椅子Ｃに設置したものとして説明する。
【００１６】
本クッション１０は、図１に示したように、椅子Ｃに設置される。本クッション１０は、クッションシート部２０、このクッションシート部２０の後縁に連結された背もたれ部３０、前記クッションシート部２０の前縁に連結された前部垂れ下がり部４０、および前記背もたれ部３０の後縁に連結された後部垂れ下がり部５０を備えている。
【００１７】
前記クッションシート部２０は、クッション材が充填された矩形の主クッションシート部２２、この主クッションシート部２２の前縁に第１連結布部２４を介して連結され、クッション材が充填された膝上部クッション部２６を備えている。前記第１連結布部には、クッション材が充填されていないことが好ましい。クッション材としては、通常の綿等の他、空気であってもよい。空気の場合には、充填したり、抜いたりすることが出来るようにすることが好ましい。
【００１８】
前記主クッションシート部２２の後縁には、背もたれ部３０の第１背もたれ部３２が連結されており、この第１背もたれ部３２の後縁（椅子に設置されているときの上縁）には、第２連結布部３４を介して第２背もたれ部３６が連結されている。第１背もたれ部３２および第２背もたれ部３６は、クッション材が充填されている。このクッション材は、前記と同様であってよい。
【００１９】
前記主クッションシート部２２には、その後方中央部に、座骨を収容するため凹み部である座骨フィット部２８が形成されている。この座骨フィット部２８の凹み部は、半円形または６角形以上の多角形の半分の形状であり、特に半円形が好ましい。この半円形は、図２等に示したように、主クッションシート部２２の後縁にその直径部分が位置し、そこから前方に張り出している形が望ましい。多角形の半分の形状の場合にも、同様の配置を採る。前記座骨フィット部２８は、空洞になっているか、底部に位置する単なる布であることが好ましい。
【００２０】
前記第１背もたれ部３２の厚みは、前記主クッションシート部２２、膝上部クッション部２６および第２背もたれ部３６の厚みより薄くなっている。前記座骨フィット部２８と相まって、着座する人の正しい姿勢を保つためである。このような目的ため、クッション材を選択して、前記第１背もたれ部３２の堅さは、前記主クッションシート部２２、膝上部クッション部２６および第２背もたれ部３６の堅さより柔らかくなっている
【００２１】
前記膝上部クッション部２６の前縁には、椅子Ｃ等の座席の前縁から垂れ下がる前部垂れ下がり部４０が連結されている。この部分には、クッション材が充填されていないことが好ましい。
【００２２】
前記第２背もたれ部３６の後縁には、椅子Ｃ等の背もたれの後方に垂れ下がる後部垂れ下がり部５０が連結されている。この後部垂れ下がり部５０は、前記第２背もたれ部３６の後縁に連結された第３連結布部５２、およびこの第３連結布部５２の後縁に連結された重り部５４を備えている。この重り部５４には、クッション材であってもよいが、他の重い充填材料であってもよい充填材が充填されている。クッション２０を椅子Ｃ等に設置したときに、設置した当初の正しい位置を保つためである。
前記後部垂れ下がり部５０は、全体として長めであることが好ましい。椅子Ｃ等のデザインにかかわらず、適用を可能にするためである。
【００２３】
本発明のクッションは、以上の構成により、着座した人の姿勢を正しく保ち、したがって長時間着座しても疲れることがなく、また、エコノミークラス・シンドローム症候群のような症状も出にくいという利点がある。
さらに、手軽に既存の椅子等に装着でき、また、使わない場合には、丸めることによりコンパクト隣、保管もしやすい。
さらに、前記座骨フィット部２８が空洞（開口）の場合には、そこから首を出し、前記第１背もたれ部３２を枕にし、第２背もたれ部３６等を含むそこから先、後方部分を背中に沿って延在するようにして、ソファー等に横になる場合に使用することができる。
【符号の説明】
【００２４】
１０  クッション
２０  クッションシート部
２２  主クッションシート部２２
２４  第１連結布部
２６  膝上部クッション部
２８  座骨フィット部
３０  背もたれ部
３２  第１背もたれ部
３４  第２連結布部
３６  第２背もたれ部
４０  前部垂れ下がり部
５０  後部垂れ下がり部
Ｃ  椅子
【図１】
0003194682.tif 000003
【図２】
0003194682.tif 000004
【図３】
0003194682.tif 000005